(57)【要約】      （修正有）【課題】振動、緩みを生じない直列式ファン組み合わせ構造を提供する。【解決手段】2つのファンの第１本体１、第２本体２とから構成し、該第１本体の第２本体に組み合わされる側の四隅の相対する２隅にそれぞれ同じ方向に向けて開口を有する第１受け溝１２１及び突出した第１ラッチ体１２２を設け、また、他の相対する２隅にそれぞれこれらと同じ方向に向けて開口を有する第１受け部１２３及び第２受け部１２４を設ける。該第２本体には上記第１本体に組合される側の４隅にそれぞれ上記第１ラッチ体、第１受け溝、第１受け部、第２受け部に対応して、第２受け溝２１１、第２ラッチ体２１２、第１凸体２１３及び第２凸体２１４を設ける。さらに、第１本体と第２本体とを相対して上記第１ラッチ体に第２受け溝、第１受け溝に第２ラッチ体、第１受け部、第２受け部に対してそれぞれ第１凸体及び第２凸体を上記開口の方向から嵌合し、固定する。【選択図】図１
0003172654.tif 000002
【実用新案登録請求の範囲】
【請求項１】
組合わされるファンの第１本体と第２本体とにおいて、
上記第１本体は、第２本体に相対する側の第２開口端から他方側の第１開口端に連通する第１流路を有し、
該第２開口端の四隅の相対する２隅に同じ方向に向けて開口を形成する第１受け溝及び受け溝に嵌合する第１ラッチ体を設けると共に、他の相対する２隅の同じ方向に向けて開口する第１受け部、第２受け部を設け
上記第２本体は、第1本体に相対する側の第４開口端から他方側の第３開口端に流通する第２流路を有し、
該第４開口端の四隅の相対する２隅にそれぞれ前記第１本体の第１受け溝及び受け溝に嵌合する第１ラッチ体、第１受け部、第２受け部にそれぞれ対応して第２ラッチ体、第２受け溝、第１凸体及び第２凸体を設け、
第１本体と第２本体とを相対して上記第１ラッチ体に第２受け溝、第１受け溝に第２ラッチ体、第１受け部、第２受け部に対してそれぞれ第１凸体及び第２凸体を上記開口の方向から嵌合し、ラッチ結合して固定する直列式ファン組み合わせ構造。
【請求項２】
前記第１開口端の四隅にそれぞれ少なくとも１つの孔を設け、前記第３開口端の四隅に少なくとも１つの孔を設ける請求項１に記載の直列式ファン組み合わせ構造。
【請求項３】
前記第２開口端に第１軸筒ソケットを有して複数の接続体により開口端と該第１軸筒ソケットを接続し、
前記第４開口端に第２軸筒ソケットを有して複数の接続体により開口端と該第２軸筒ソケットを接続し、
該第１軸筒ソケットと該第２軸筒ソケットとを突き合わせ接合した請求項１記載の直列式ファン組み合わせ構造。
【請求項４】
前記第１受け溝は、開口を形成する第１開放側及び底を形成する第１密閉側によって溝を形成し、前記第２受け溝は、同じく開口を形成する第２開放側及び底を形成する第２密閉側によって溝を形成し、
前記第１ラッチ体は、前記第２開放側に係合する第１ラッチ端を有し、該第２ラッチ体は、前記第１開放側に係合する第２ラッチ端を有してそれぞれ係合する請求項１に記載の直列式ファン組み合わせ構造。
【請求項５】
前記第１凸体は、第１凸端及び第１溝部を有し、該第１溝部は、軸方向に該第１凸端箇所に凹設され、第２凸体は、第２凸端及び第２溝部を有し、該第２溝部は、軸方向に該第２凸端箇所に凹設される請求項１に記載の直列式ファン組み合わせ構造。
【請求項６】
前記第１、第２凸体は、該第４開口端から突出して延伸して形成される請求項１に記載の直列式ファン組み合わせ構造。
【請求項７】
前記第１、第２凸体は、前記第１、第２受け部に挿通するしてラッチ結合する請求項１に記載の直列式ファン組み合わせ構造。
【請求項８】
前記第１受け溝は、更に、第１定位溝を有し、前記第２受け溝は、第２定位溝を有し、前記第１ラッチ体の前記第２定位溝に相対する箇所に第２定位体を有し、相反する他側に第２締結部を有し、前記第１定位体は、前記第２定位溝に対応して嵌め込まれ、前記第２定位体は、前記第１定位溝に対応して嵌め込まれる請求項１に記載の直列式ファン組み合わせ構造。
【考案の詳細な説明】
【技術分野】
【０００１】
本考案は、直列式ファン組み合わせ構造に関し、特に、ラッチ及びはめ込みの構造を介して直列式ファンを迅速に結合及び定位し、同時に震動を防止することができる直列式ファン組み合わせ構造に関する。
【背景技術】
【０００２】
科学技術の進歩に伴い、人々の各種電子設備に対する信頼性も向上している。しかしながら、動作時、電子製品（例えば、パソコン、ノートパソコン）内部の部材は、高熱量を発生し、熱量を随時電子製品外に導出することができなければ、過熱の問題を容易に発生するので、大部分の電子製品は、その内部に常にファンを使用し、電子製品を一定の動作温度範囲下で動作する条件を維持できるようにしているが、単一のファンから供給できる送風量が不十分である時があり、従って、しばしば２つ以上のファンを直列設置して併用し、十分な送風量を供給可能にしている。
【０００３】
中華民国専利公報公告第481434の「ＣＰＵ用の冷却装置」の実用新案中に開示する技術は、ＣＰＵ用の冷却装置であり、該冷却装置は、ヒートシンク片及び少なくとも２つ以上のファンを具え、これらの少なくとも２つの第１ファン及び第２ファンは、直列式で突き合わせ結合されて、２つのファンの間に複数の連結柱が間隔を置いて形成され、ヒートシンク片がＣＰＵの高熱量を吸収する時、２つの直列式ファンが増圧された大きな吸引風量を有し、冷却、降温効果及び速度を向上するものである。
【０００４】
上記考案を更に説明すると、２つのファンのフレームの四隅に貫通孔を設け、第１ファンを第２ファンに直列に配置する時、螺子で２つのファンの貫通孔を貫通し、それをヒートシンク片上に結合、固定する。
【０００５】
但し、この種の螺子のみに頼って２つのファンの結合させるものは、実用上、問題が存在し、２つのファンが螺子の締結力を受ける点が１組のファンの一方側にあり、２つのファンの接合面にあるのではないので、直列の結合において、接合力が不足し、接合面が不完全になる現象を起こし、ファンを回転させる時、二者の接合不完全の要因によりぶれたり、がたついて、騒音や震動を発生し易く、同時に送風も接合面の隙間から漏れ、ヒートシンクに作用する風量に影響を及ぼし、放熱性能を低下させる。
【０００６】
更に、もう１つの周知の直列式の放熱ファンの組み合わせ方式は、直列して組み合わせようとする２つのファンのうち１つのファンの四隅に複数の貫通孔を設置し、もう１つのファンの前記貫通孔に相対する箇所に少なくとも１つの凸体を設置し、該凸体を前記貫通孔に嵌め込んでファンを直列に固定する方式であるが、この固定方式は、２つのファンを直列に固定することができるが、結合後に緊密度が良好でなく、震動、騒音を発生するので、最適ではない。従って、従来技術は、以下の欠点を有する：
１．           
緊密度が良好でない；
２．           
震動及び騒音を発生する；
３．           
組み立てが不便である。
【先行技術文献】
【特許文献】
【０００７】
【特許文献１】特開２００４−１７９１８６号公報
【考案の概要】
【考案が解決しようとする課題】
【０００８】
そこで、上記の従来技術の欠点を解決する為、本考案の目的は、直列式ファンの組み立て時に迅速に定位し、組み合わせることができる直列式ファン組み合わせ構造を提供することである。
【課題を解決するための手段】
【０００９】
上記の目的を達成する為、本考案が提供する直列式ファン組み合わせ構造は、第１本体と、第２本体と、を含み、
前記第１本体は、第１開口端、第２開口端及び第１流路を有し、該第１、第２開口端は、前記第１流路を連通し、該第２開口端の四隅に第１受け溝、第１ラッチ体、第１受け部、第２受け部を設ける。
【００１０】
前記第２本体は、第３開口端、第４開口端、第２流路を有し、該第３、第４開口端は、前記第２流路に連通し、該第４開口端の四隅は、第２受け溝、第２ラッチ体、第１凸体及び第２凸体を設け、前記第１、第２ラッチ体及び該第１、第２凸体は、前記第１、第２受け溝及び第１、第２受け部と対応してラッチ結合する。
【考案の効果】
【００１１】
本考案の直列式ファン組み合わせ構造は、該直列式ファンを組み立て配置する時に別途固定部材を組み合わせる必要がなく、固定することができ、迅速な定位、組み合わせを行うことができるだけでなく、更に、ファンとファンの間の緊密性を強化し、直列式ファンの回転時に震動、騒音を発生せず、使用寿命を向上することができる。
【図面の簡単な説明】
【００１２】
【図１】本考案の直列式ファン組み合わせ構造の第１実施例の立体分解図である。
【図２】本考案の直列式ファン組み合わせ構造の第１実施例の立体組み合わせ図である。
【図３】本考案の直列式ファン組み合わせ構造の第２実施例の立体組み合わせ図である。
【図４】本考案の直列式ファン組み合わせ構造の第１本体の立体図である。
【図５】本考案の直列式ファン組み合わせ構造の第1本体の他の角度の立体図である。
【図６】本考案の直列式ファン組み合わせ構造の第２本体の立体図である。
【図７】本考案の直列式ファン組み合わせ構造の第２本体の他の角度の立体図である。
【考案を実施するための形態】
【００１３】
本考案の上記目的及びその構造及び機能上の特性について、図面に基づく好適実施例を挙げ、説明する。
【００１４】
図１、図２を参照する。  本考案の直列式ファン組み合わせ構造の第１実施例の立体分解図及び立体組み合わせ図であり、図に示すように、前記直列式ファン組み合わせ構造は、第１本体１と、第２本体２と、から構成する。
【００１５】
前記第１本体は、第１開口端１１、第２開口端１２及び第１流路１３を有し、該第１、第２開口端１１，１２は、前記第１流路１３を連通し、該第２開口端１２の四隅に第１受け溝１２１、第１ラッチ体１２２、第１受け部１２３、第２受け部１２４を設ける。
【００１６】
前記第２本体２は、第３開口端２１、第４開口端２２、第２流路２３を有し、該第３、第４開口端２１，２２は、前記第２流路２３に連通し、該第４開口端２１の四隅は、第２受け溝２１１、第２ラッチ体２１２、第１凸体２１３及び第２凸体２１４を設け、前記第１、第２ラッチ体１２２，２１２及び該第１、第２凸体２１３，２１４は、前記第１、第２受け溝１２１，２１１及び第１、第２受け部１２３，１２４と対応してラッチ結合する。
【００１７】
前記第２開口端１２は、第１軸筒ソケット１４及び複数の接続体１５を有し、該接続体１５の両端は、それぞれ該第２開口端１２及び該第１軸筒ソケット１４に接続し、前記第４開口端２２は、第２軸筒ソケット２４及び複数の接続体２５を有し、該接続体２５の両端は、それぞれ該第４開口端２２及び該第２軸筒ソケット２４に接続し、該第１軸筒ソケット１４の一端は、該第２軸筒ソケット２４と突き合わせ接合する。
【００１８】
前記第１受け溝１２１は、第１開放側１２１１及び第１密閉側１２１２を有し、前記第２受け溝２１１は、第２開放側２１１１及び第２密閉側２１１２を有し、前記第１ラッチ体１２２は、第１ラッチ端１２２１を有し、該第２ラッチ体２１２は、第２ラッチ端２１２１を有し、該第１、第２ラッチ端１２２１，２１２１は、それぞれ前記第１、第２開放側２１１１，１２１１に係合する。
【００１９】
前記第１凸体２１３は、第１凸端２１３１及び第１溝部２１３２を有し、該第１溝部２１３２は、軸方向に該第２凸端２１４１箇所に凹設され、第１、第２凸体２１３，２１４は、該第４開口端２２と相反する方向に延伸して構成され、前記第１、第２流路１２，２３は、第１本体１及び第２本体２が組み合わされて相互に連通する。
【００２０】
本実施例の第１本体１及び第２本体２の組み合わせを行う時、該第２本体２に設置した第２ラッチ体２１２及び第２受け溝２１１を介し、該第１本体１の第１受け溝１２１及び第１ラッチ体１２２に対応し、その後、第１、第２ラッチ体１２２，２１２は、それぞれ該第１、第２受け部１２３，１２４に対応して嵌め込まれ、その後、第２本体２に設けた第１凸体２１３及び第２凸体２１４が該第１本体１の第１受け部１２３及び第２受け部１２４と対応し、ラッチ接合する。
【００２１】
図３を参照する。本考案の直列式ファン組み合わせ構造の第２実施例の立体組み合わせ図であり、図に示すように、本実施例及び前記第１実施の一部構造及び接続関係は、同一であるので、ここでは再度記載しないが、本実施例と前記第１実施例の異なる箇所は、前記第１本体１の第１開口端１１の四隅に少なくとも１つの孔１１１を設け、同様に前記第１本体２の第３開口端２１の四隅にも少なくとも１つの孔２１５を設ける。
【００２２】
図４、図５、図６、図７を参照する。本考案の直列式ファン組み合わせ構造の第３実施例の第１本体及び第２本体の立体図であり、図に示すように、本実施例及び前記第１実施の一部構造及び接続関係は、同一であるので、ここでは再度記載しないが、本実施例と前記第１実施例の異なる箇所は、前記第１受け溝１２１は、更に、第１定位溝１２１３を有し、前記第２受け溝２１１は、第２定位溝２１１３を有し、前記第１ラッチ体１２２の前記第２定位溝２１１３に相対する箇所に第１定位体１２２２を有し、相対する他側に第１締結部１２２３を有し、前記第２ラッチ体２１２の前記第１定位溝１２１３に相対する箇所に第２定位体２１２２を有し、相反する他側に第２締結部２１２３を有し、前記第１定位体１２２２は、前記第２定位溝２１１３に対応して嵌め込まれ、前記第２定位体２１２３は、前記第１定位溝１２１３に対応して嵌め込まれる。
【符号の説明】
【００２３】
１  第１本体
１１  第１開口端
１１１  孔
１２  第２開口端
１２１  第１受け溝
１２１１  第１開放側
１２１２  第1密閉側
１２１３  第1定位溝
１２２  第１ラッチ体
１２２１  第１ラッチ端
１２２２  第１定位体
１２２３  第１締結部
１２３  第1受け部
１２４  第２受け部
１３  第１流路
１４  第１軸筒ソケット
１５  接続体
２  第２本体
２１  第３開口端
２１１  第２受け溝
２１１１  第２開放側
２１１２  第２密閉側
２１１３  第２定位溝
２１２  第２ラッチ体
２１２１  第２ラッチ端
２１２３  第２締結部
２１３  第１凸体
２１３１  第１凸端
２１３２  第１溝部
２１４  第２凸体
２１４１  第２凸端
２１４２  第２溝部
２１５  孔
２２  第４開口端
２３  第２流路
２４  第２軸筒ソケット
【図１】
0003172654.tif 000003
【図２】
0003172654.tif 000004
【図３】
0003172654.tif 000005
【図４】
0003172654.tif 000006
【図５】
0003172654.tif 000007
【図６】
0003172654.tif 000008
【図７】
0003172654.tif 000009